(57)【要約】      （修正有）【課題】新規な磁性芯材と巻線又はコイルの組合せによって効率的な電力装置が得られる可能性がある。【解決手段】第０の磁路と、前記第０の磁路と鎖交される第１のコイルと、前記第１のコイルと電磁的に結合される第２のコイルと、前記第１のコイルと鎖交される第１の磁路と、前記第２のコイルと鎖交される前記第１の磁路の方向と逆向きの第２の磁路と、前記第０の磁路と前記第１の磁路と前記第２の磁路とを有する第１の磁性芯材とを具備する様な手段。【選択図】図２
2011228629.tif 000002
【特許請求の範囲】
【請求項１】
磁束とコイルを鎖交する電磁誘導用鎖交具であって、
第０の磁路と、
前記第０の磁路と鎖交される第１のコイルと、
前記第１のコイルと電磁的に結合される第２のコイルと、
前記第１のコイルと鎖交される第１の磁路と、
前記第２のコイルと鎖交される前記第１の磁路の方向と逆向きの第２の磁路と、
前記第０の磁路と前記第１の磁路と前記第２の磁路とを有する第１の磁性芯材とを具備する電磁誘導用鎖交具。
【請求項２】
前記第０の磁路から分岐され前記第０の磁路に至る分岐磁路と、
前記分岐磁路と鎖交される前記第２のコイルと、
前記分岐磁路を有する前記第１の磁性芯材とを具備する、請求項１記載の電磁誘導用鎖交具。
【請求項３】
前記第１のコイルと電磁的に結合される第３のコイルと、
前記第１の磁路の方向と同じ向きに前記第１のコイルと鎖交される第３の磁路と、
前記第３のコイルと鎖交される前記第３の磁路の方向と逆向きの第４の磁路と、
前記第２のコイルと電磁的に結合される前記第３のコイルと、
前記第２の磁路の方向と同じ向きに前記第２のコイルと鎖交される第５の磁路と、
前記第３のコイルと鎖交される前記第５の磁路の方向と逆向きの第６の磁路と、
前記第３の磁路と前記第４の磁路と前記第５の磁路と前記第６の磁路とを有する前記第１の磁性芯材とを具備する、請求項２記載の電磁誘導用鎖交具。
【発明の詳細な説明】
【技術分野】
【０００１】
本発明は、交流電力に関する。
【背景技術】
【０００２】
エネルギーを加え続ける場合には加えられたエネルギーより多くのエネルギーが得られる事は可能であると知られている。例えば電動ヒートポンプで移動させる熱量７０を英国ではプラスアルファとして表し、一次エネルギー１００＝損失６５＋電力３５＋αと表す。
実用的な、マッチを擦り薪に火を付け煮炊きする等の分野はサイエンスの対象としていない。石油類に点火し、又は原子力で生まれた熱で水から蒸気を作り発電機のタービンにぶつけて発電機の軸を回す。水力も水をぶつけてタービンを回す等も同様に引き出されたエネルギーと引き出す為に使われたエネルギーとの差は膨大である。仕事を成し得る状態に在るエネルギーを有する電気は電池に見られる。電池は抵抗で仕事をし、低電位に移動した電荷を『電位の坂道』に沿って高電位に持ち上げる装置である。所が交流電源は電荷を持ち上げる装置では無く、『電位の坂道』はない。時間的に変化する磁場によって誘起された電場は『電位勾配』によって表す事が出来ず、ベクトルポテンシャルの時間的変化として表される。電気力線は電池と異なり閉じていて、出発点も終点も無いので、コイル導体に交流電圧が加わると、自由電子が閉じた回路を回るだけになる。
磁性材料については、外部磁場があると原子単独ではなく、集団で始めて現れる協力現象が起こる。磁性材料の内部は飽和にまで磁化している。その磁化は外部磁場に応じて磁壁移動で全体の磁区の殆どが一つの磁区なってしまうと次に磁化そのものが回転して材料全体の磁化が外部磁場の方向に向く。それに伴うエネルギーは外部に現れた磁化エネルギーより遥かに小さい。
導体については導体中での電気現象は電場が存在しないという条件のもとで起きていると考えられている。電場が導体中に存在し、導体の電気伝導率が大きいと電流も大きく、たちまちエネルギーを消耗してしまい電場は直ぐに消える。
内部に電圧の無い巻線導体については、巻線内部を貫通する磁束密度に変化が無い状態では電圧がゼロに保たれる。鎖交磁束数が増えると、減らす様に電圧が生まれる。増えなくなり変化が無くなると電圧もゼロになる。逆に鎖交磁束数が減らされると逆になる。
電磁誘導は発電機や変圧器以外でも新たに応用が為されるであろう。
【特許文献１】特願昭６３−１２８６４８号
【特許文献２】特許第３５５４８５０号
【特許文献３】特許願２００５−１１３８５５号
【発明の開示】
【発明が解決しようとする課題】
【０００３】
巻線内部を貫通する磁束密度に変化が無い状態では巻線内部の電圧がゼロに保たれる。この電圧はベクトル的にゼロから増やしてゼロに戻し、ゼロから減らしてゼロに戻しを次々に再現する事が出来る。商用周波数の発電機や変圧器起電力で再現されている。特に変圧器起電力については変圧器として利用される場合９９％の効率で利用できる。ＪＥＣ−２０４による変圧器は電圧及び電流を変成する物であり、変成せずに使えば変圧器の範疇には入らないが、利用する事は可能である。中央脚を持つ鉄芯の左右のどちらかに１００Ｖの交流電圧を接続して中央脚の第２のコイルに１００Ｖを誘導し、中央脚の既第２のコイルを短絡させても残りの第３の脚を経由して誘導される磁束によって既第２のコイルには自己誘導が生じ、励磁電流並みの電流しか流れない。ちなみに、既第３の脚に第３のコイルを巻いて電圧を計測すると１００Ｖを得る事も出来る。又既第３のコイルも短絡すると既第３のコイルからの相互誘導によって既中央脚の既第２のコイルは自己誘導を失い、発電機からの交流電圧が維持されていれば既中央脚の既第２のコイル電気回路に大きな短絡電流が流れる。これらの関係を応用すると新規な磁性芯材と巻線又はコイルの組合せによって効率的な電力装置が得られる可能性がある。
【課題を解決するための手段】
【０００４】
具体的には、第０の磁路と、
前記第０の磁路と鎖交される第１のコイルと、
前記第１のコイルと電磁的に結合される第２のコイルと、
前記第１のコイルと鎖交される第１の磁路と、
前記第２のコイルと鎖交される前記第１の磁路の方向と逆向きの第２の磁路と、
前記第０の磁路と前記第１の磁路と前記第２の磁路とを有する第１の磁性芯材
とを具備する様な手段によって達成する事ができる。
【発明の効果】
【０００５】
負荷電流からの磁束に対して無誘導の構造としたので負荷電流の流れる電源コイルの既磁束からの自己誘導を磁束とコイルが鎖交される構造自体で減らす事が可能に成る。
【発明を実施するための最良の形態】
【０００６】
第１図において、磁路に磁束が誘導される手段である第１のコイル１０及び第２のコイル２０と第３のコイル３０と磁性芯材１００が鎖交する。前記第１のコイル１０に交番電流１２が流れると前記交番電流１２の作る磁界に応じて前記磁性芯材１００に第１の磁束１４が誘導される。前記第１の磁束１４は前記第１のコイル１０と第２のコイル２０及第３のコイル３０と鎖交する。前記第２のコイルと第３のコイルが接続されて交流電気回路が構成される。既電気回路に電流が生まれ、前記第２のコイル及第３のコイル部分に交番電流２２及３２が流れると前記交番電流２２及第３２の作る磁界に応じて前記磁性芯材１００に第２の磁束２４及第３の磁束３４が誘導される。前記第２の磁束２４と第３の磁束３４とはほぼ同じ大きさで反対方向に誘導されるので、これらの磁束からの逆起電力は作用としては現れない。既電気回路には電流が流れても逆起電力が無いので、前記磁束１４が前記第２のコイル及第３のコイル周りに作る電場に応じて既電気回路には電流が流れる。
尚、形状、大きさ、作動及び構造上の細部については変更しても良く、前述の具体例は専ら解説の為のものであって、本発明の範囲を限定するものではない。
【実施例１】
【０００７】
第２図において、磁路に磁束が誘導される手段である第１のコイル１０及び第２のコイル２０と第３のコイル３０と磁性芯材１００が鎖交する。前記第１のコイル１０に交番電流１２が流れると前記交番電流１２の作る磁界に応じて前記磁性芯材１００に第１の磁束１４が誘導される。前記第１の磁束１４は前記第１のコイル１０と第２のコイル２０と鎖交する。前記第２のコイルと第３のコイルが接続されて交流電気回路が構成される。既電気回路に電流が生まれ、前記第２のコイル２０及第３のコイル３０部分に交番電流２２及３２が流れると前記交番電流２２及第３２の作る磁界に応じて前記磁性芯材１００に第２の磁束２４及第３の磁束３４が誘導される。前記第２の磁束２４と第３の磁束３４とはほぼ同じ大きさで反対方向に誘導されるので、これらの磁束からの逆起電力は作用としては現れない。既電気回路には電流が流れても逆起電力が無いので、前記磁束１４が前記第２のコイル及第３のコイル周りに作る電場に応じて既電気回路には電流が流れる。
尚、形状、大きさ、作動及び構造上の細部については変更しても良く、前述の具体例は専ら解説の為のものであって、本発明の範囲を限定するものではない。
【実施例２】
【０００８】
第３図において、磁路に磁束が誘導される手段である第１のコイル１０と第２のコイル２０と第３のコイル３０と磁性芯材１００の磁路が鎖交する。前記第１のコイル１０に交番電流１２が流れると前記交番電流１２の作る磁界に応じて前記磁性芯材１００に第１の磁束１４が誘導される。前記第１の磁束１４は前記第１のコイル１０と第２のコイル２０と鎖交する。前記第２のコイルと第３のコイルが接続されて交流電気回路が構成される。
既電気回路に電流が生まれ、前記第２のコイル２０及第３のコイル３０部分に交番電流２２及３２が流れると前記交番電流２２及第３２の作る磁界に応じて前記磁性芯材１００に第２、第４の磁束２４、２５及第３、第６の磁束３４、３５が誘導される。閉じられる第４のコイル４０に前記第４の磁束２５と第６の磁束３５が鎖交されると交番電流４２が流れ、鎖交磁束を減らす向きに第５の磁束４５、第７の磁束４７が誘導される。前記第２の磁束２４と第３の磁束３４、第４の磁束２５と第５の磁束４５及び第６の磁束３５と第７の磁束４７とはほぼ同じ大きさで反対方向に誘導されるので、これらの磁束からの逆起電力は作用としては現れない。一般の商用電力で電力が唯一消費出来る変圧器の二次側交流電気回路は変圧器の二次側コイルを電源にして既電源の両端子が家庭内や工場内に引き込まれた物である。既交流電気回路が成り立つ条件は既電源コイルに電磁誘導を与える磁束が継続して貫通している事、又既磁束が維持されている事である。実際に無負荷時でも負荷時でも既磁束のみが作用に現れる丈に制御されている。本発明の既制御は負荷電流からの磁束に対して電源コイルが無誘導に作用する様に磁束とコイルが鎖交させられる。
尚、形状、大きさ、作動及び構造上の細部については変更しても良く、前述の具体例は専ら解説の為のものであって、本発明の範囲を限定するものではない。
【図面の簡単な説明】
【０００９】
【図１】コイルと新規な磁性芯材が鎖交される技術の実施形態を示した説明図である。
【図２】コイルと新規な磁性芯材が鎖交される第１の技術の実施例を示した説明図である。
【図３】コイルと新規な磁性芯材が鎖交される第２の技術の実施例を示した説明図である。
【符号の説明】
【００１０】
図１          １０  第１のコイル            １２  交番電流
１４  第１の磁束              ２０  第２のコイル
２２  交番電流                ２４  第２の磁束
３０  第３のコイル            ３２  交番電流
３４  第３の磁束            １００  磁性芯材
図２          １０  第１のコイル            １２  交番電流
１４  第１の磁束              ２０  第２のコイル          
２２  交番電流                ２４  第２の磁束
３０  第３のコイル            ３２  交番電流
３４  第３の磁束            １００  磁性芯材
図３          １０  第１のコイル            １２  交番電流
１４  第１の磁束              ２０  第２のコイル
２２  交番電流                ２４  第２の磁束
２５  第４の磁束              ３０  第３のコイル
３２  交番電流                ３４  第３の磁束
３５  第６の磁束              ４０  第４のコイル
４２  交番電流                ４５  第５の磁束
４７  第７の磁束            １００  磁性芯材
【図１】
2011228629.tif 000003
【図２】
2011228629.tif 000004
【図３】
2011228629.tif 000005